(57)【要約】【課題】足や椅子や収納物出し入れ用の開放スペースを前側下方に開口して設けた水槽付きキャビネットにおいて、上記開放スペースの内奥に取り付ける水槽下カバーの脱着を容易に行えるようにする。【解決手段】キャビネット１０の前側下方に開口した、足や椅子や収納物出し入れ用の第１スペース３４と、第１スペース３４の上方に設定された、少なくとも水槽２０を含む器物収納用の第２スペース５０と、第１スペース３４の後方に設定された、少なくとも配管２８を含む器物収納用の第３スペース５２とを備え、スペース３４，５０を上下に仕切る水槽下カバー４０と、スペース３４，５２を前後に仕切る配管隠し板４２とを備え、水槽下カバー４０は、その後側の端部が後中桟５４に引っ掛けた状態で係止し、その前側の端部がキャビネット１０の前上桟４８下面にねじ固定した構成。【選択図】図２
2007289631.tif 000002
【特許請求の範囲】
【請求項１】
キャビネットの前側下方に前面に開放したスペース（開放スペース）を備え、この開放スペースの上方に、水槽等を下方側から覆うカバー（水槽下カバー）を取り付けた水槽付きキャビネットにおいて、
上記水槽下カバーの後側の端部を、キャビネットの後中桟に直接的または間接的に係止し、
上記水槽下カバーの前側の端部を、キャビネットの前上桟の下面に直接的または間接的に着脱可能な取り付けねじで取り付けた、ことを特徴とする水槽付きキャビネット。
【請求項２】
上記開放スペースの奥側に当該開放スペース側から配管を隠すための配管隠し板をキャビネットの後中桟と後下桟とに着脱可能な取り付けねじで取り付けた、ことを特徴とする請求項１に記載の水槽付きキャビネット。
【請求項３】
キャビネットの前側下方に前面に開放したスペース（開放スペース）を備えた水槽付きキャビネットにおいて、
上記開放スペースは、当該開放スペースの左右両側を規定するようその左右両側位置で互いにほぼ平行に対向配置された一対の側板と、当該開放スペースの上側を規定するようその上側位置に配置されて水槽等を下方側から覆う水槽下カバーと、当該開放スペースの奥側を規定するようその奥側位置に配置されてその後方の配管を隠す配管隠し板とで囲むスペースであり、
上記水槽下カバーの後側の端部を、上記開放スペースの奥側位置で上記両側板に渡された後中桟に直接的または間接的に係止し、
上記水槽下カバーの前側の端部を、上記開放スペースの前側の上方位置に配置されて上記両側板に渡された前上桟の下面に直接的または間接的に着脱可能な取り付けねじで取り付け、
上記配管隠し板を、上記後中桟と、この後中桟より下方位置で上記両側板に渡された後下桟とに、直接的または間接的に着脱可能な取り付けねじで取り付けた、ことを特徴とする水槽付きキャビネット。
【請求項４】
上記配管隠し板を、上記後中桟と上記後下桟とに上記取り付けねじに代えて面ファスナーで着脱可能に取り付けた、ことを特徴とする請求項２または３に記載の水槽付きキャビネット。
【請求項５】
上記配管隠し板の高さ寸法を、上記後中桟の上端と上記後下桟の下端との間の寸法よりも短く設定した、ことを特徴とする請求項２ないし４のいずれかに記載の水槽付きキャビネット。
【請求項６】
上記水槽下カバーを後下がりに傾斜させて水槽側の漏水や結露水等を排水する側に誘導可能とした、ことを特徴とする請求項１ないし５のいずれかに記載の水槽付きキャビネット。
【請求項７】
上記水槽下カバーに後下がりに傾斜させた傾斜面を付けてこの傾斜面を開放スペース側から視認可能な意匠・装飾面とした、ことを特徴とする請求項１ないし５のいずれかに記載の水槽付きキャビネット。
【請求項８】
上記水槽下カバーの後部に落ち込み段差を付けて水槽の後方底部に突設した排水器具等を収納可能とした、ことを特徴とする請求項１ないし７のいずれかに記載の水槽付きキャビネット。
【請求項９】
上記水槽下カバーの前後２箇所に両側板に亙る全幅に折れ線を形成して水槽下カバー全体の曲げ剛性を高めた、ことを特徴とする請求項１ないし８のいずれかに記載の水槽付きキャビネット。
【請求項１０】
上記水槽下カバーの後側の端部に係止部を形成し、後中桟の後側にこの係止部が係止することが可能な係止部材を装着し、上記係止部を上記係止部材に係止して水槽下カバーの後側の端部を後中桟に係止した、ことを特徴とする請求項１ないし９のいずれかに記載の水槽付きキャビネット。
【請求項１１】
上記水槽下カバーの後側の端部を下方に折り下げて折下げ辺を形成し、この折下げ辺の下端に１つないし複数の切欠きを上記係止部として形成し、
上記後中桟の後側に装着した係止部材が、これら折下げ辺の切欠きに対応して後中桟から後方に所定量突出しており、上記切欠きを上記係止部材の突出部分に係止して水槽下カバーの後側の端部を後中桟に係止した、ことを特徴とする請求項１０に記載の水槽付きキャビネット。
【請求項１２】
上記係止部材が、ねじであり、このねじを後中桟と該ねじの頭部との間に折下げ辺の少なくとも厚さ分の隙間を残して装着し、これら折下げ辺の切欠きを上記隙間から臨むねじ部分に係止して水槽下カバーの後側の端部を後中桟に係止した、ことを特徴とする請求項１１に記載の水槽付きキャビネット。
【請求項１３】
上記水槽下カバーの後側の端部にダルマ孔を設け、後中桟の上面に装着したねじをこのダルマ孔に引っ掛けて、水槽下カバーの後側の端部を後中桟に係止した、ことを特徴とする請求項１ないし９のいずれかに記載の水槽付きキャビネット。
【請求項１４】
上記水槽下カバーの後側の端部に折下げ辺を設け、後中桟に上記折下げ辺を後方から抱き込み係止する前向きコの字形の係止部を形成し、この折下げ辺を後中桟の上記係止部に後方から抱き込ことにより水槽下カバーの後側の端部を後中桟に係止した、ことを特徴とする請求項１ないし９のいずれかに記載の水槽付きキャビネット。
【請求項１５】
上記水槽下カバーの後側の端部に折下げ辺を設け、後中桟の背面に形成した溝にこの折下げ辺を後方から係入して当該折下げ辺を前向きコの字形に屈折形成することにより、水槽下カバーの後側の端部を後中桟に係止した、ことを特徴とする請求項１ないし９のいずれかに記載の水槽付きキャビネット。
【請求項１６】
上記水槽下カバーの後側の端部を後中桟の上面に載置するとともに、水槽下カバーの後側の端部から下方に切り出した舌片を、後中桟と配管隠し板との間で挟持して、水槽下カバーの後側の端部を後中桟に係止した、ことを特徴とする請求項１ないし９のいずれかに記載の水槽付きキャビネット。
【請求項１７】
上記前上桟の下面に下穴を設け、この下穴に水槽下カバーの前側の端部から取り付けねじを挿入した、ことを特徴とする請求項１ないし１６のいずれかに記載の水槽付きキャビネット。
【請求項１８】
上記下穴にナット部材を埋め込み、このナット部材に取り付けねじを水槽下カバーの前側の端部から挿入した、ことを特徴とする請求項１７に記載の水槽付きキャビネット。
【発明の詳細な説明】
【技術分野】
【０００１】
本発明は、厨房キャビネットや洗面化粧台等の水槽付きキャビネットに関するものであり、より詳しくは、キャビネットの前側下方に台所作業等のため足や椅子や収納物等の出し入れ用の開口スペースを備え、この開口スペース上方に水槽や排水器具等を隠すための水槽下カバーを備えた水槽付きキャビネットに関するものである。
【０００２】
本発明は、このような水槽下カバーを備えた水槽付きキャビネットにおいて、その水槽や排水器具等の修理、保守、点検等の実施を容易に実施するようにした水槽付きキャビネットに関するものである。
【背景技術】
【０００３】
この種のキャビネットには特許文献１に開示されたものがある。従来のキャビネットを、図１６を参照して説明する。同特許文献１の明細書には、次のような構成が記載されている。すなわち、同明細書の記載（符号は同明細書に従う）によると、このキャビネットは、上面に水槽やカウンター等が設けられて上面で台所作業を行うものにおいて、キャビネット１に椅子や足を入れるための前面を開口せるオープンスペースＳを設け、キャビネット１の後側である奥部にキャビネット１の幅方向に亙って配管収納スペースＡを設け、キャビネット１の上部に装着する水槽の下面側を覆う水槽下化粧板６を金属板にて形成すると共にこの水槽下化粧板６をオープンスペースＳの上方に配置し、水槽下化粧板（水槽下カバーに相当）６の前側の端部をキャビネット１の前板７の背面の係止溝８に係止し、水槽下化粧板６の後側の端部をキャビネット１に着脱可能な固定ねじ９にて固定してある。
【０００４】
また、配管収納スペースＡの前面を覆う前面板３をメンテナンス時に着脱可能にし、キャビネット１の下部の支持レール４の上面を開口せる凹部に前面板３の下部を嵌め込み、前面板３の上部を着脱可能な止めねじ５にてキャビネット１に固定する。この場合、止めねじ５を外して前面板３の下端を支持レール４から抜くことで前面板３を外すことができ、配管収納スペースＡの前面を開放してメンテナンスが容易にできる。
【特許文献１】特許３１７６０３１号公報
【発明の開示】
【発明が解決しようとする課題】
【０００５】
しかしながら、上記公報明細書に記載の構成を備えた従来のキャビネットにおいては、以下の課題を抱えている。
【０００６】
第１の課題として、水槽下化粧板６が金属製であるためにその前側の端部に撓みやしなりが生じ易く、キャビネット１が幅方向に広くなるほど、キャビネット１の前板７の背面の係止溝８に水槽下化粧板６の前側の端部を嵌め込む作業が困難で手間がかかる。
【０００７】
第２の課題として、メンテナンスに際し水槽下化粧板６を取り外すためには、排水管収納スペースＢの前面を覆う前面板３を外してから、水槽下化粧板６の後側の端部を固定している固定ねじ９を外す必要があり、水槽下化粧板６のみを取り外してメンテナンスを実施することができない。
【０００８】
第３の課題として、水槽下化粧板６の後側の端部を固定している固定ねじ９に緩みが生じていると、キャビネット１内部に椅子や足を出し入れする際に水槽下化粧板６に前方や下方から衝撃が加わると、係止溝８から水槽下化粧板６の前側の端部が外れて水槽下化粧板６が落下することがある。
【０００９】
第４の課題として、固定ねじ９は通常の使用状態では、配管収納スペースＡの前面を覆う前面板３で隠されているために、固定ねじ９の緩み等の不具合が生じていても、見えないため、その不具合を発見することができない。
【課題を解決するための手段】
【００１０】
本発明第１による水槽付きキャビネットは、キャビネットの前側下方に前面に開放したスペース（開放スペース）を備え、この開放スペースの上方に、水槽等を下方側から覆うカバー（水槽下カバー）を取り付けた水槽付きキャビネットにおいて、水槽下カバーの後側の端部をキャビネットの後中桟に直接的または間接的に係止し、水槽下カバーの前側の端部をキャビネットの前上桟の下面に直接的または間接的に着脱可能な取り付けねじで取り付けたことを特徴とするものである。
【００１１】
本発明第１によると、水槽下カバーの取付けにあたって、先に水槽下カバーの後側の端部を後中桟側に係止して位置決めした状態で、目視できる水槽下カバーの前側の端部をねじ止め操作すればよく、後側の端部をねじ止めして前側の端部を溝に嵌め込み支持する従来構造に比べて水槽下カバーの脱着を容易に行うことができる。
【００１２】
また、本発明第１によると、水槽下カバーの前側の端部をねじ止めするものであるから、水槽下カバーを単独で脱着することができる。
【００１３】
さらに、本発明第１によると、水槽等収納スペースに椅子や足を出し入れする際に水槽下カバーに突き当たったとしても、ねじ止め固定された水槽下カバーの前側の端部が外れるおそれはない。
【００１４】
さらに、本発明第１によると、水槽下カバーの前側の端部を固定する固定ねじは水槽等収納スペースに隣設されているので、水槽下カバーの前側の端部側での取り付けねじの緩み具合を容易に目視できる。
【００１５】
本発明第１は、好ましくは、開放スペースの奥側にある配管隠し板をキャビネットの後中桟と後下桟とに着脱可能な取り付けねじで取り付けることである。
【００１６】
この構成によると、後中桟と後下桟とに配管隠し板をねじ止めすることにより後中桟がキャビネット左右幅方向に長くなっても強度が向上し、この後中桟に水槽下カバーの後側の端部を後中桟に安定して係止することができるようになる。
【００１７】
本発明第２による水槽付きキャビネットは、キャビネットの前側下方に前面に開放したスペース（開放スペース）を備えた水槽付きキャビネットにおいて、上記開放スペースは、当該開放スペースの左右両側を規定するようその左右両側位置で互いにほぼ平行に対向配置された一対の側板と、当該開放スペースの上側を規定するようその上側位置に配置されて水槽等を下方側から覆う水槽下カバーと、当該開放スペースの奥側を規定するようその奥側位置に配置されてその後方の配管を隠す配管隠し板とで囲むスペースであり、上記水槽下カバーの後側の端部を上記開放スペースの奥側位置で上記両側板に渡された後中桟に直接的または間接的に係止し、上記水槽下カバーの前側の端部を上記開放スペースの前側の上方位置に配置されて上記両側板に渡された前上桟の下面に直接的または間接的に着脱可能な取り付けねじで取り付け、上記配管隠し板を、上記後中桟と、この後中桟より下方位置で上記両側板に渡された後下桟とに、直接的または間接的に着脱可能な取り付けねじで取り付けた、ことを特徴とするものである。
【００１８】
前上桟の下面には下穴や埋め込み受け部材を設けてもよい。
【００１９】
水槽下カバーで覆う部分は少なくとも水槽を含むが、水槽以外に、排水器具、ならびに排水管や給水管等の配管を含むことができる。
【００２０】
水槽下カバーの材料は特に限定しない。
【００２１】
水槽下カバーはステンレス等の金属製、樹脂製、その他であってもよいし、水槽側を金属製、開放スペース側を木質製としてもよい。
【００２２】
水槽下カバーの上方には水槽や排水器具等を配置する。
【００２３】
取り付けねじの形状や形態は特に限定しない。
【００２４】
取り付けねじの材質は特に限定しない。
【００２５】
水槽下カバーはキャビネットの後中桟に直接係止してもよいし、後中桟に取り付けたねじに間接的に係止してもよい。この係止の形態は特に限定しない。
【００２６】
水槽下カバーの前側の端部は、キャビネットの前上桟の下面に直接的または間接的に着脱可能な取り付けねじで取り付けることができる。
【００２７】
配管隠し板、前上桟、後中桟、後下桟の材料は特に限定しないが、合板やパーティクルボード等の木質系材料で構成することができる。
【００２８】
前上桟、後中桟、後下桟の形状は、両側板に渡すことが可能であれば、特に限定しない。これらは、途中で分岐した部分を備えたり、途中で断面形状が変化したりしてもよい。
【００２９】
配管は、可撓性を有しても有さなくてもよい。
【００３０】
配管の材料は特に限定しない。
【００３１】
配管隠し板で隠す配管の種類は特に限定しない。配管隠し板で隠す器具は少なくとも配管を含むとよく、他の器具を配管と同時に開放スペース側から隠して配置していても、配管隠し板に含む。
【００３２】
本発明第２によると、水槽下カバーの取付けにあたって、先に水槽下カバーの後側の端部を後中桟側に係止して位置決めした状態で、目視できる水槽下カバーの前側の端部をねじ止め操作すればよく、後側の端部をねじ止めして前側の端部を溝に嵌め込み支持する従来構造に比べて水槽下カバーの脱着を容易に行うことができる。
【００３３】
また、本発明第２によると、水槽下カバーの前側の端部をねじ止めするものであるから、水槽下カバーを単独で脱着することができる。
【００３４】
さらに、本発明第２によると、水槽等収納スペースに椅子や足を出し入れする際に水槽下カバーに突き当たったとしても、ねじ止め固定された水槽下カバーの前側の端部が外れるおそれはない。
【００３５】
さらに、本発明第２によると、水槽下カバーの前側の端部を固定する固定ねじは水槽等収納スペースに隣設されているので、水槽下カバーの前側の端部側での取り付けねじの緩み具合を容易に目視できる。
【００３６】
さらに、本発明第２によると、後中桟と後下桟とに配管隠し板をねじ止めすることにより後中桟がキャビネット左右幅方向に長くなっても強度が向上し、この後中桟に水槽下カバーの後側の端部を後中桟に安定して係止することができるようになる。
【００３７】
本発明第１、第２は、好ましくは、配管隠し板を、上記後中桟と、後下桟とにそれぞれ面ファスナーで着脱可能に取り付けることが好ましい。これにより、配管隠し板をねじ等を使用することなく、上記後中桟と後下桟に簡単に取り付け、取り外しすることができる。
【００３８】
本発明第１、第２は、好ましくは、配管隠し板の高さ寸法を、後中桟の上端と後下桟の下端との間の寸法よりも短く設定することが好ましい。こりにより、水槽付きキャビネットを設置する床、特に、配管隠し板の設置位置とその手前の床に不陸（床表面にうねりや凹凸）が存在する場合でも配管隠し板の取り外しをスムーズに行うことができる。
【００３９】
本発明第１、第２は、好ましくは、水槽下カバーを後下がりに傾斜させて水槽側の漏水や結露水等を排水する側に誘導可能とすることである。上記構成によると、水槽等収納スペースで水漏れや結露が発生しても、漏水や結露水を水槽下カバーの上面を排水誘導面として後方に流下案内し、滞留することなく配管収納スペースに導かれることになり、開放スペースの床面に流出することを未然に防止できる。
【００４０】
本発明第１、第２は、好ましくは、水槽下カバーに後下がりに傾斜させた傾斜面を付けてこの傾斜面を開放スペース側から視認可能な意匠・装飾面とすることである。
【００４１】
本発明第１、第２は、好ましくは、水槽下カバーの後部に落ち込み段差を付けて水槽の後方底部に突設した排水器具等を収納可能とすることである。
【００４２】
本発明第１、第２は、好ましくは、水槽下カバーの前後２箇所に両側板に亙る全幅に折れ線を形成して水槽下カバー全体の曲げ剛性を高めることである。上記構成によると、水槽下カバー全幅に亘る折り角が当該水槽下カバーの前後２箇所に形成されることで、水槽下カバーの曲げ剛性が高いものとなり、水槽下カバーの脱着時の取扱い性に優れたものとなる。
【００４３】
本発明第１、第２は、好ましくは、上記水槽下カバーの後側の端部に係止部を形成し、後中桟の後側にこの係止部が係止することが可能な係止部材を装着し、上記係止部材を上記係止部に係止して水槽下カバーの後側の端部を後中桟に係止することである。
【００４４】
この場合、より好ましくは、上記水槽下カバーの後側の端部を下方に折り下げて折下げ辺を形成し、この折下げ辺の下端に１つないし複数の切欠きを上記係止部として形成する一方、上記後中桟の後側に装着した係止部材が、これら折下げ辺の切欠きに対応して後中桟から後方に所定量突出しており、上記切欠きを上記係止部材の突出部分に係止して水槽下カバーの後側の端部を後中桟に係止することである。
【００４５】
さらにこの場合、より好ましくは、上記係止部材が、ねじであり、このねじを後中桟と該ねじの頭部との間に折下げ辺の少なくとも厚さ分の隙間を残して装着し、これら折下げ辺の切欠きを上記隙間から臨むねじ部分に係止して水槽下カバーの後側の端部を後中桟に係止することである。
【００４６】
上記係止部材は特にねじに限定しない。例えば、上記係止部材は後中桟の後面からピン形状に突出する部材でもよい。
【００４７】
上記係止部材をピン形状とした場合、ピン先端を上方に折曲げて、ねじ頭部と同様の作用効果を得ることができるようにしてもよい。ピンの場合、後中桟に一体成形してもよい。
【００４８】
この構成によると、水槽下カバーの後側の端部を直接、後中桟に直接、係止する場合よりも、水槽下カバーの後側の端部を後中桟との係止から外れにくくすることができる。特に、折下げ辺下端の切欠きが隙間内のねじにがたつくことなく係止することができ、水槽下カバーの後側の端部における後中桟との係止が安定し、前上桟にねじ止めしている水槽下カバーの前側の端部もそのねじ止め状態が安定するようになる。
【００４９】
本発明第１、第２は、好ましくは、水槽下カバーの後側の端部にダルマ孔を設け、後中桟の上面に装着したねじをこのダルマ孔に引っ掛けて、水槽下カバーの後側の端部を後中桟に係止することである。
【００５０】
この構成によると、開放スペースに椅子を入れたときに水槽下カバーに突き当たっても、水槽下カバーの後側の端部はダルマ孔に引っ掛けられていて、浮き上がらずに済む。
【００５１】
本発明第１、第２は、好ましくは水槽下カバーの後側の端部に折下げ辺を設け、後中桟に上記折下げ辺を後方から抱き込み係止する前向きコの字形の係止部を形成し、この折下げ辺を後中桟の上記係止部に後方から抱き込ことにより水槽下カバーの後側の端部を後中桟に係止することである。
【００５２】
この構成によると、開放スペースに椅子を入れたときに水槽下カバーに突き当たっても、水槽下カバーの後側の端部の折下げ辺が後中桟に後方から抱き込み係止されているので、水槽下カバーの後側の端部は浮き上がらずに済む。
【００５３】
本発明第１、第２は、好ましくは、水槽下カバーの後側の端部に折下げ辺を設け、後中桟の背面に形成した溝にこの折下げ辺を後方から係入して当該折下げ辺を前向きコの字形に屈折形成することにより、水槽下カバーの後側の端部を後中桟に係止することである。
【００５４】
この構成によると、水槽下カバーの後側の端部を浮き上がりを防止しすることができる。
【００５５】
本発明第１、第２は、好ましくは、水槽下カバーの後側の端部を後中桟の上面に載置するとともに、水槽下カバーの後側の端部から下方に切り出した舌片を、後中桟と配管隠し板との間で挟持して、水槽下カバーの後側の端部を後中桟に係止することである。
【００５６】
この構成によると、水槽下カバーの後側の端部を浮き上がりを防止しすることができる。本発明第１、第２は、好ましくは、前上桟の下面に下穴を設け、この下穴に水槽下カバーの前側の端部から取り付けねじを挿入することである。この構成によると、水槽下カバーの前側の端部を前上桟の下面に容易にねじ止めすることができる。
【００５７】
本発明第１、第２は、好ましくは、上記下穴にナット部材を埋め込み、このナット部材に取り付けねじを水槽下カバーの前側の端部から挿入することである。
【００５８】
この構成によると、取り付けねじの着脱を繰り返しても、打破することがない。
【発明を実施するための最良の形態】
【００５９】
以下、添付した図面を参照して本発明の実施の形態にかかる水槽付きキャビネットを説明する。
【００６０】
まず図１および図２を参照して実施の形態の水槽付きキャビネットを説明する。図１はその斜視図、図２は図１のＡ−Ａ線断面図である。この水槽付きキャビネット１０は、キャビネット左横部の左横板１２と、キャビネット背部の背板１４とを直角に組み付け、背板１４内側の後桟１６に上面が流し台や調理作業台となる天板１８を取り付け、この天板１８に水槽２０、カラン２２、ビルトイン式のガスレンジ等の加熱調理器２４を組み込むと共に水槽２０の後部排水口に排水器具２６を取り付け、この排水器具２６をキャビネット背部に引き回した配管２８に接続している。
【００６１】
キャビネット前部の天板１８下側の左右両側に収納部３０，３２その他を組み込むと共にキャビネット前部下方に足や椅子等の出し入れ用の開放スペース３４を設ける。
【００６２】
開放スペース３４は左右両収納部３０，３２の対向面に沿い左右両側で平行に対向する左右一対の側板３６，３８と、水槽２０下方側の水槽下カバー４０と、キャビネット背部側の配管隠し板４２とで前方を除く三方を囲むほぼ箱形のスペースにより形成する。キャビネット前部上部の前幕板４４の後部に調整板４６を介して前上桟（前板）４８を配置する。前上桟４８を両側板３６，３８に渡している。開放スペース３４は底板で前方を除く四方を囲むスペースとしてもよい。この開放スペース３４は上面に水槽等が設けられて上面で調理作業等を行う場合に、椅子に座って足を入れて作業することができるものであり、また、作業後にはその椅子を収納することもできるスペースである。
【００６３】
以上によりキャビネット内は前方に開放した、足や椅子入れ用開放スペース３４と、水槽下カバー４０により開放スペース３４から上方側に区画された水槽等収納スペース５０と、配管隠し板４２により開放スペース３４から後方側に区画された配管収納スペース５２とを備える。この配管収納スペース５２には配水管、給水管等を収納する。
【００６４】
水槽下カバー４０の後側の端部は、両側板３６，３８の後部中部に渡された後中桟５４に係止し、水槽下カバー４０の前側の端部は前上桟４８下面に着脱可能な取り付けねじ５６で取り付ける。
【００６５】
配管隠し板４２は、両側板３６，３８の後部中部に渡された上記後中桟５４と、両側板３６，３８の後部下部に渡された後下桟５８とに着脱可能な取り付けねじ６０，６２で取り付ける。
【００６６】
さらに水槽付きキャビネット１０の構成を説明する。
【００６７】
図３に側板３６，３８に対する前上桟４８、後中桟５４および後下桟５８の各部材の分解斜視図、図４にこれら各部材の組み立て斜視図を示す。ただし、図３では側板３６，３８を示しているが、図４ではその側板３６，３８の図示を略し、図３よりも拡大して示している。側板３６，３８は、前側上部に前上桟４８用の３個のダボ穴ｈ０、後側上部と中部に背板１４の後桟１６、中桟６４用の２個ずつのダボ穴ｈ１，ｈ２、後側寄り中部に後中桟５４用の２個ずつのダボ穴ｈ３、後側寄り下部に後下桟５８用の２個ずつのダボ穴ｈ４を有する。前上桟４８、後中桟５４、後下桟５８は両端面に側板３６，３８それぞれの上記ダボ穴ｈ０−ｈ４に入るダボｄ０−ｄ４を有し、両側板それぞれのダボ穴ｈ０−ｈ４にそれらダボｄ０−ｄ４を挿入することにより、左右両側板３６，３８に渡している。なお、図３、図４には、後述する水槽下カバー４０の前側の端部に設けたねじ穴４０ｆと、前上桟４８下面のねじ穴６５と、それらに着脱可能に取り付ける取り付けねじ５６と、水槽下カバー４０の後側の端部の切欠き４０ｄも、全体構造の理解のため符号で示している。
【００６８】
以上のように両側板３６，３８に渡した前上桟４８、後中桟５４、後下桟５８に水槽下カバー４０と配管隠し板４２を取り付ける。
【００６９】
図５ないし図８を参照して水槽下カバー４０の構成を説明する。図５は水槽下カバー４０の後側の端部と後中桟５４それぞれの要部を拡大して示す斜視図、図６は図５のＢ−Ｂ線断面図、図７は水槽下カバー４０の前側の端部と前上桟４８それぞれの要部を拡大して示す斜視図、図８は図７のＣ−Ｃ線断面図である。
【００７０】
水槽下カバー４０は、ステンレス鋼板からなり、前後に所要箇所、例では２箇所で山折りおよび谷折りに屈折されて、後部が一段低くなった段違い状に形成されており、その高位にあたる高位カバー部分４０ａは緩く後下がり傾斜するとともに、中間段差部を形成する中位カバー部分４０ｂは急角度で後下り傾斜し、低位にあたる低位カバー部分４０ｃは前後水平になっている。中位カバー部分４０ｂは後下がりに急角度で傾斜した傾斜面となり開放スペース３４側から椅子等を出し入れする際に視認することが可能となるので、その傾斜面を意匠や装飾面として利用することができる。
【００７１】
このように水槽下カバー４０の後部に落ち込み段差を形成することで、水槽２０やこの水槽２０の後方底部に突設された排水器具２６やその他の器具の収納スペース６６を形成している。また、水槽下カバー４０の前後２箇所で全幅に亘る折れ線を形成することで、水槽下カバー４０全体の曲げ剛性が高くなり、脱着する際の取扱い性に優れたものとなっている。
【００７２】
高位カバー部分４０ａおよび中位カバー部分４０ｂが後下り傾斜していることで、水槽２０等の収納スペース５０で水漏れや結露が発生しても、漏水や結露水を水槽下カバー４０の上面により排水誘導すると共に後方に流下案内し、滞留させることなく配管収納スペース５２に導くことができる。
【００７３】
図５およびそのＢ−Ｂ線断面図である図６で示すように水槽下カバー４０の低位カバー部分４０ｃの後側の端部に左右全幅に亘って垂直下方に折り下がった折下げ辺４０ｄを形成している。この折下げ辺４０ｄの下端縁に、下方に開放された切欠き４０ｅを係止部として左右所要箇所、例では３箇所等間隔に形成している。切欠き４０ｅの形状は特に限定しないが、Ｕ字形状、Ｖ字形状、半円形状、半楕円形状、その他の形状を選択することができる。
【００７４】
後中桟５４における背面の左右所要箇所、例では３箇所に３本のねじ６４が係止部材として後中桟５４とねじ６４の頭部との間に上記折下げ辺４０ｄの厚さ程度の隙間ｔを残して装着している。ねじ６４の形状は特に限定しないが、切欠き４０ｅに対応して任意に選定することができる。
【００７５】
図７およびそのＣ−Ｃ線断面図である図８で示すように水槽下カバー４０の高位カバー部分４０ａは、その前側の端部に左右所要箇所、例では３箇所等間隔に取付け孔４０ｆを形成している。前上桟４８の下端の左右所要箇所、例では３箇所に上記取付け孔４０ｆに対応して上記したねじ穴６５を設け、各ねじ穴６５内にナット部材６６を埋設している。
【００７６】
図９（ａ）（ｂ）、図１０（ａ）（ｂ）を参照して水槽下カバー４０の組み付けを説明する。
【００７７】
図９（ａ）で示すように水槽下カバー４０の後側の端部の折下げ辺４０ｄに形成した各切欠き４０ｅを後中桟５４と各ねじ６４の頭部との間の隙間ｔに位置あわせし、図９（ｂ）で示すように各切欠き４０ｅをその隙間ｔのねじ６４の部分に装着する。以上により水槽下カバー４０の後側の端部を後中桟５４に引っ掛け支持して前後左右の位置決めを行う。
【００７８】
次に、図１０（ａ）で示すように水槽下カバー４０の前側の端部を前上桟４８の下端に押し当て、図１０（ｂ）で示すように水槽下カバー４０の前側の端部の取付け孔４０ｆに下方から取り付けねじ５６を挿通すると共にその挿通した取り付けねじ５６を前上桟４８の下端の形成したねじ穴６５に埋設してあるナット部材６６に締め込むことで水槽下カバー４０の前側の端部を固定する。
【００７９】
以上により水槽下カバー４０の組み付けを完了する。
【００８０】
なお、水槽下カバー４０を後中桟５４および前上桟４８から取り外す場合には上記手順を逆に行えばよい。
【００８１】
次に、図１１（ａ）（ｂ）（ｃ）を参照して配管隠し板４２の組み付けを説明すると、図１１（ａ）で示すように配管隠し板４２を後中桟５４と後下桟５８それぞれの前面に当てつける。配管隠し板４２には後中桟５４と後下桟５８に対応してねじ穴４２ａ，４２ｂを予め設けており、図１１（ｂ）で示すように、配管隠し板４２のねじ穴４２ａ，４２ｂに取り付けねじ６０，６２を通し、後中桟５４と後下桟５８にも予め形成している下穴（符号略）に締め付け固定する。以上により配管隠し板４２の組み付けが完了する。
【００８２】
なお、配管隠し板４２の上端前面に図１１（ｃ）で示すように指掛け用の凹部４１を形成しておくと、収納スペース５２の内奥に配置された配管隠し板４２を脱着する際に便利である。
【００８３】
以上の構成を備えた水槽付きキャビネット１０の据付け施工に際しては、水槽下カバー４０および配管隠しカバー４２を外して水槽等収納スペース５０および配管収納スペース５２を大きく開放した状態で各種の配管処理、等を行い、その後、水槽下カバー４０および配管隠し板４２を取付けることになる。この場合、水槽下カバー４０と配管隠し板４２の取付順序は特に問われない。また、据付け後のメンテナンスにおいては、水槽下カバー４０のみ、あるいは、配管隠し板４２のみ、もしくは、水槽下カバー４０と配管隠し板４２を任意に取外して行うことができる。
【００８４】
以上のように本実施の形態では、水槽下カバー４０が金属製であって、その前側の端部に撓みやしなりが生じても、その前側の端部はねじで固定されるので、キャビネットが幅方向に広くなっても、当該水槽下カバー４０の前側の端部を前上桟４８の下面に容易に取り付けることができ、従来のような第１の課題を解消することができる。
【００８５】
本実施の形態では、メンテナンスに際して、水槽下カバー４０を取り外すためには、前板に相当する前上桟４８を外す必要がなく、また、水槽下カバー４０の後側の端部を後中桟５４から外すのに従来のように後中桟からねじを外す必要がないから、水槽下カバー４０のみを外してメンテナンスを実施することができ、従来のような第２の課題を解消することができる。
【００８６】
本実施の形態では、水槽下カバー４０の後側の端部を単に後中桟５４に係止していても、その前側の端部が前上桟４８にねじ止めしているので、従来のように水槽下カバー４０の後側の端部を固定している取り付けねじに緩みが生じ、キャビネット内部に椅子や足を出し入れする際に水槽下カバー４０に前方や下方から衝撃が加わったときに水槽下カバー４０の前側の端部が外れて落下するようなことがない。したがって、本実施の形態では、従来のような第３の課題を解消することができる。
【００８７】
本実施の形態では、水槽下カバー４０の前側の端部に取り付けねじは開放スペース３４から通常の使用状態で視認することができるので、従来のように開放スペース３４から視認することができないようことがない。したがって、本実施の形態では、従来のような第４の課題を解消することができる。
【００８８】
本発明は、上記実施の形態に限定されず、種々な変形を含むものであり、例えば、図１２（ａ）と図１２（ａ）のＤ−Ｄ線断面図である図１２（ｂ）で示すように、水槽下カバー４０の後側の端部に形成したダルマ孔４０ｇを後中桟５４の上面に装着したねじ７２に引っ掛け支持して、水槽下カバー４０の後側の端部の浮き上がりを防止してもよい。
【００８９】
また、本発明は、図１３で示すように、水槽下カバー４０の後側の端部に、後中桟５４に後方から抱き込み係止される前向きコの字形の係止部４０ｈを屈折形成したり、あるいは、図１４で示すように、後中桟５４の背面に形成した溝５４ａに後方から係入するように前向きコの字形の係止部４０ｉを屈折形成することによりカバー装着状態において水槽下カバー４０の後側の端部の浮き上がりを防止してもよい。
【００９０】
さらに、本発明は、図１５で示すように、水槽下カバー４０の後側の端部を後中桟５４の上面に載置するとともに、水槽下カバー４０の後側の端部から下方に切り出した舌片４０ｊを、後中桟５４と配管隠し板４２との間で挟持して、水槽下カバー４０の後側の端部の浮き上がりを防止してもよい。
【００９１】
さらに、本発明は、図１７ないし図１９で示すように、配管隠し板４２を、後中桟５４と、後下桟５８に取り付けてもよい。ここで、図１７は本発明のさらに他の実施の形態に係る水槽付きキャビネット１０の要部の断面図、図１８（ａ）は配管隠し板４２と後中桟５４との別の取り付け形態を示す断面図、図１８（ｂ）は配管隠し板４２と後下桟５８との別の取り付け形態を拡大して示す断面図、図１９は配管隠し板４２と後中桟５４と後下桟５８との分解斜視図である。
【００９２】
すなわち、配管隠し板４２を、後中桟５４と、後下桟５８にそれぞれ、取り付けねじ６０，６２で取り付ける代わりに、面ファスナー７０，７２で着脱可能に取り付けてもよい。これにより、配管隠し板４２をねじ等を使用することなく、上記両桟５４，５８に簡単に取り付け、取り外しをすることができる。
【００９３】
面ファスナー７０，７２は、好ましくは縫製であり、細かいカギ状になっているフック面（フック状に起毛された面）を備えた雄側７０ａ，７２ａと、小さなループがびっしり並んだル−プ面（ループ状に密集して起毛された面）を備えた雌側７０ｂ，７２ｂとの２枚１組からなり、これら両面が互いに押し当てられて雄側７０ａ，７２ａが雌側７０ｂ，７２ｂに引っかかるようになっている。この面ファスナー７０の雄側７０ａは配管隠し板４２の後部上部に、面ファスナー７２の雄側７２ａは配管隠し板４２の後部下部に図示略の止め具で固定されている。面ファスナー７０の雌側７０ｂは後中桟５４の前面側に、面ファスナー７２の雌側７２ｂは後下桟５８の前面側に、それぞれ、図示略の止め具で固定されている。
【００９４】
面ファスナー７０，７２は後中桟５４、後下桟５８の前面を覆う大きさの平面視矩形形状であるが、必ずしも、後中桟５４、後下桟５８の前面を覆う大きさに限定されず、配管隠し板４２を、後中桟５４と後下桟５８に複数箇所で面ファスナーで取り付けるようにしてもよい。
【００９５】
面ファスナー７０，７２は、雄側７０ａ，７２ａや雌側７０ｂ，７２ｂそれぞれの形状に限定されない。
【００９６】
面ファスナー７０，７２は、フックとループとが混在して雄側と雌側とに区別がないタイプも含む。
【００９７】
面ファスナー７０，７２は、マッシュルーム状に起毛されて結合力が強いクリックタイプ等も含む。
【００９８】
面ファスナー７０，７２はその構成素材に限定されない。
【００９９】
この場合、配管隠し板４２の高さ寸法Ｈ１を、図１７で示すように、後中桟５４の上端と後下桟５８の下端との間の寸法Ｈ２よりも例えば１−５ｍｍ程度短く設定してもよい。この設定により、水槽付きキャビネット１０を設置する床、特に、配管隠し板４２の設置位置とその手前の床に不陸が存在する場合でも配管隠し板４２の取り外しをスムーズに行うことができる。
【図面の簡単な説明】
【０１００】
【図１】図１は本発明の実施の形態に係る水槽付きキャビネットの斜視図である。
【図２】図２は図１のＡ−Ａ線断面図である。
【図３】図３は側板に対する前上桟、後中桟および後下桟の各部材の分解斜視図である。
【図４】図４は図３に示す各部材の組み立て斜視図である。
【図５】図５は水槽下カバーの後側の端部と後中桟それぞれの要部を拡大して示す斜視図である。
【図６】図６は図５のＢ−Ｂ線断面図である。
【図７】図７は水槽下カバーの前側の端部と前上桟それぞれの要部を拡大して示す斜視図である。
【図８】図８は図７のＣ−Ｃ線断面図である。
【図９】図９（ａ）（ｂ）は水槽下カバーの後側の端部の組み付けを説明するための図である。
【図１０】図１０（ａ）（ｂ）は水槽下カバーの前側の端部の組み付けを説明するための図である。
【図１１】図１１（ａ）（ｂ）（ｃ）は配管隠し板の組み付けを説明するための図である。
【図１２】図１２（ａ）（ｂ）は本発明の他の実施の形態に係る水槽付きキャビネットの要部の平面図である。
【図１３】図１３は本発明のさらに他の実施の形態に係る水槽付きキャビネットの要部の断面図である。
【図１４】図１４は本発明のさらに他の実施の形態に係る水槽付きキャビネットの要部の断面図である。
【図１５】図１５は本発明のさらに他の実施の形態に係る水槽付きキャビネットの要部の断面図である。
【図１６】図１６は従来の水槽付きキャビネットの要部を縦断した側面図である。
【図１７】図１７は本発明のさらに他の実施の形態に係る水槽付きキャビネットの要部の断面図である。
【図１８】図１８（ａ）は配管隠し板と後中桟との別の取り付け形態を示す断面図、図１８（ｂ）は配管隠し板と後下桟との別の取り付け形態を拡大して示す断面図である。
【図１９】図１９は配管隠し板と後中桟と後下桟との分解斜視図である。
【符号の説明】
【０１０１】
１０  水槽付きキャビネット
２０  水槽
３４  開放スペース
３６，３８  側板
４０  水槽下カバー
４０ａ  高位カバー部分
４０ｂ  中位カバー部分
４０ｃ  低位カバー部分
４０ｄ  折下げ辺
４０ｅ  切欠き
４０ｆ  ねじ穴
４２  配管隠し板
４８  前上桟
５０  水槽等収納スペース
５２  配管収納スペース
５４  後中桟
５６  取り付けねじ
５８  後下桟
６０，６２  取り付けねじ
６５  ねじ穴
６６  ナット部材
【図１】
2007289631.tif 000003
【図２】
2007289631.tif 000004
【図３】
2007289631.tif 000005
【図４】
2007289631.tif 000006
【図５】
2007289631.tif 000007
【図６】
2007289631.tif 000008
【図７】
2007289631.tif 000009
【図８】
2007289631.tif 000010
【図９】
2007289631.tif 000011
【図１０】
2007289631.tif 000012
【図１１】
2007289631.tif 000013
【図１２】
2007289631.tif 000014
【図１３】
2007289631.tif 000015
【図１４】
2007289631.tif 000016
【図１５】
2007289631.tif 000017
【図１６】
2007289631.tif 000018
【図１７】
2007289631.tif 000019
【図１８】
2007289631.tif 000020
【図１９】
2007289631.tif 000021